(57)【要約】【課題】ディスクの回転による乱気流の発生を低減することにより、データの読み書きの高速化や高容量化を可能にするハードディスク装置を提供する。【解決手段】ハードディスク装置には、ハウジング２の内部にあって、軸方向に所定間隔Ｄを存して積層されたディスク３Ａ，３Ｂ，３Ｃと、アームの先端に配置されたデータ読書き用のヘッドを各ディスク３Ａ，３Ｂ，３Ｃの表面に対して気流により浮上させつつ該ヘッドの位置制御を行うアクチュエータとが備えられている。このディスク３Ａ，３Ｂ，３Ｃの外縁３Ａａ，３Ｂａ，３Ｃａに対向するように、外縁３Ａａ，３Ｂａ，３Ｃａに対向する位置で内周側へ突出する突出部１０ａと、それら突出部１０ａよりも外周側に凹んだ凹部１０ｂとを有し、ディスク３Ａ，３Ｂ，３Ｃの外縁３Ａａ，３Ｂａ，３Ｃａに沿って周方向の少なくとも一部を囲う整流部材１０１を配設する。【選択図】図４
2014010844.tif 000002
【特許請求の範囲】
【請求項１】
ハウジングと、
前記ハウジングの内部に回転駆動可能に配置されると共に、中心軸方向に所定間隔を存して積層された複数のディスクと、
前記ハウジングの内部にあって、アームの先端に配置されたデータ読書き用のヘッドを前記各ディスクの表面に対して気流により浮上させつつ、該ヘッドの位置制御を行うアクチュエータと、を備えたハードディスク装置において、
前記複数のディスクの外縁に対向するように、それら複数のディスクの外縁に沿って周方向の少なくとも一部を囲う整流部を備え、
前記整流部は、前記各ディスクの外縁に対向する位置で内周側へ突出する突出部と、それら突出部同士の間でそれら突出部よりも外周側に凹んだ凹部と、を有する、
ことを特徴とするハードディスク装置。
【請求項２】
前記整流部は、前記ハウジングと別体に構成され、前記ハウジングと前記複数のディスクの外縁との間に取付けられる、
ことを特徴とする請求項１に記載のハードディスク装置。
【請求項３】
前記整流部は、前記ハウジングに一体的に形成された、
ことを特徴とする請求項１に記載のハードディスク装置。
【請求項４】
前記整流部は、前記凹部と仕切られると共に該凹部の外周側にて周方向に貫通形成された通風路と、前記凹部から前記通風路に気流を導く貫通孔と、を備えた、
ことを特徴とする請求項２に記載のハードディスク装置。
【発明の詳細な説明】
【技術分野】
【０００１】
本発明は、ハウジング内に積層された複数のディスクの表面から気流により浮上させたヘッドでそれらディスクのデータを読み書きするハードディスク装置に関する。
【背景技術】
【０００２】
一般に、ハードディスク装置は、データを記録するためのディスク（プラッタ）が複数枚積層されて回転駆動自在に配設されており、そのディスク表面に近接されるヘッドをアームの先端に配置し、アーム及びヘッドをアクチュエータ（ボイスコイルモータ）により移動制御することにより、ヘッドによってディスク上の所望の位置に対してデータを読み書きする。ヘッドとディスクとの間隔は、ディスクの回転により生じる気流でヘッドが浮上（飛行）することで、所定の距離に維持されるように構成されている。
【０００３】
ところで、近年、ハードディスク装置は、データの読み書きの高速化や高容量化が求められるようになっており、ディスクの高回転化が進められている。しかし、ディスクが高回転になるほど、ディスクの表面の粘性抵抗などに起因して、気流が速くなり、この気流がハウジングケースの内壁に当たることで、乱気流が発生し易くなる。そして、ディスク表面において乱気流が生じると、ディスクの上下振動の発生も相俟って、上述したヘッドの浮上（飛行）が乱れ、ヘッドとディスクとの間隔が変動することにより、読書きのエラーが生じ易くなったり、ヘッドがディスクに接触して耐久性として好ましくなかったりするという問題がある。
【０００４】
そこで、ディスクの回転によって生じた乱気流を整流し、ディスクに対するヘッドの浮上量の安定化を図るものが提案されている（特許文献１参照）。これらのものは、積層されたディスクの間に侵入する板状部材（スポイラーやセパレータ）で、乱気流を整流してヘッドやアームに当てることで、ヘッドの浮上量の安定化を図っている。
【先行技術文献】
【特許文献】
【０００５】
【特許文献１】米国特許公開２０１０／０１３４９２０号公報
【発明の概要】
【発明が解決しようとする課題】
【０００６】
上記特許文献１のものは、ディスクの回転によって生じた乱気流の整流を図るものであるが、乱気流の発生自体を抑えるものではなく、ディスクの上下振動の発生が抑えられるものではない。そのため、ディスクの回転による乱気流の発生を低減し、ディスクの上下振動の低減も図ることが可能な構造の開発が望まれていた。
【０００７】
そこで本発明は、ディスクの回転による乱気流の発生を低減することにより、データの読み書きの高速化や高容量化を可能にするハードディスク装置を提供することを目的とするものである。
【課題を解決するための手段】
【０００８】
本発明は（例えば図１乃至図６参照）、ハウジング（２）と、
前記ハウジング（２）の内部に回転駆動可能に配置されると共に、中心軸（ＣＴ）方向に所定間隔（Ｄ）を存して積層された複数のディスク（３Ａ，３Ｂ，３Ｃ）と、
前記ハウジング（２）の内部にあって、アーム（６）の先端（６ａ）に配置されたデータ読書き用のヘッド（５）を前記各ディスク（３Ａ，３Ｂ，３Ｃ）の表面に対して気流により浮上させつつ、該ヘッド（５）の位置制御を行うアクチュエータ（７）と、を備えたハードディスク装置（１）において、
前記複数のディスク（３Ａ，３Ｂ，３Ｃ）の外縁（３Ａａ，３Ｂａ，３Ｃａ）に対向するように、それら複数のディスク（３Ａ，３Ｂ，３Ｃ）の外縁（３Ａａ，３Ｂａ，３Ｃａ）に沿って周方向の少なくとも一部を囲う整流部（１０１，１０２）を備え、
前記整流部（１０１，１０２）は、前記各ディスク（３Ａ，３Ｂ，３Ｃ）の外縁（３Ａａ，３Ｂａ，３Ｃａ）に対向する位置で内周側へ突出する突出部（１０ａ）と、それら突出部（１０ａ）同士の間でそれら突出部（１０ａ）よりも外周側に凹んだ凹部（１０ｂ）と、を有することを特徴とする。
【０００９】
また、本発明は（例えば図１乃至図４参照）、前記整流部（１０１）は、前記ハウジング（２）と別体に構成され、前記ハウジング（２）と前記複数のディスク（３Ａ，３Ｂ，３Ｃ）の外縁（３Ａａ，３Ｂａ，３Ｃａ）との間に取付けられることを特徴とする。
【００１０】
また、本発明は、前記整流部（１０）は、前記ハウジング（２）に一体的に形成されたことを特徴とする。
【００１１】
また、本発明は（例えば図５乃至図６参照）、前記整流部（１０２）は、前記凹部（１０ｂ）と仕切られると共に該凹部（１０ｂ）の外周側にて周方向に貫通形成された通風路（１０ｇ）と、前記凹部（１０ｂ）から前記通風路（１０ｇ）に気流を導く貫通孔（１０ｆ）と、を備えたことを特徴とする。
【発明の効果】
【００１２】
請求項１に係る本発明によると、複数のディスクの外縁に沿って周方向の少なくとも一部を囲う整流部が、各ディスクの外縁に対向する位置で内周側へ突出する突出部と、それら突出部同士の間でそれら突出部よりも外周側に凹んだ凹部とを有しているので、ディスクの周辺におけるディスクの回転による乱気流の発生を低減することができ、ディスクの上下振動の発生も抑えることができて、ヘッドの浮上量の安定化を図ることができる。これにより、データの読み書きの高速化や高容量化を可能にすることができる。
【００１３】
請求項２に係る本発明によると、整流部が、ハウジングと別体に構成され、ハウジングと複数のディスクの外縁との間に取付けられるので、ハウジングを複雑な形状に加工することを不要にすることができ、ディスクの周辺における乱気流の発生を低減する構造を安価に提供することができる。更に、整流部をディスクの外周側に設置する作業が簡単となり、また、整流部の交換も簡単に行うことができる。
【００１４】
請求項３に係る本発明によると、整流部が、ハウジングに一体的に形成されているので、整流部を別部品で挿入するスペースを設けることを不要とすることができ、特にハウジングの内部に配設するディスクが大径なものにも対応することができる。
【００１５】
請求項４に係る本発明によると、整流部が、凹部と仕切られると共に該凹部の外周側にて周方向に貫通形成された通風路と、凹部から通風路に気流を導く貫通孔とを備えているので、ディスクの回転により発生した気流を貫通孔を介して通風路に逃がすことができ、整流部で気流をディスク同士の間隔に折り返す場合に比して、さらに乱気流の発生の低減を図ることができる。
【図面の簡単な説明】
【００１６】
【図１】本発明に係るハードディスク装置を示す概略模式図。
【図２】図１におけるＡ−Ａ矢視断面図。
【図３】第１の実施の形態に係る整流部材を示す斜視図。
【図４】第１の実施の形態に係る整流部材により整流された気流を示す断面図。
【図５】第２の実施の形態に係る整流部材を示す斜視図。
【図６】第２の実施の形態に係る整流部材により整流された気流を示す断面図。
【図７】従来のハウジングの内部の気流を示す断面図。
【発明を実施するための形態】
【００１７】
＜第１の実施の形態＞
以下、本発明に係る第１の実施の形態を図１乃至図４に沿って説明する。本発明を適用し得るハードディスク装置１は、図１に示すように、例えば箱状の本体を蓋部材で閉塞した密封構造を有する直方体状のハウジング２を備えており、ハウジング２の内部には、不図示の駆動モータに接続され、中心軸ＣＴ上に配置された回転軸４と、該回転軸４に固着されて回転駆動可能に配置された複数（本実施の形態では３枚）のデータ記録用のディスク３Ａ，３Ｂ，３Ｃとが備えられている。
【００１８】
これらディスク３Ａ，３Ｂ，３Ｃは、図２に示すように、軸方向（中心軸方向）に対してそれぞれ所定間隔Ｄを存するように積層されて配置されており、その外周側がハウジング２の側面２ａに詳しくは後述する整流部材（整流部）１０１を介して対向していると共に、上方側は上面２ｂに、下方側は底面２ｃに、それぞれ対向して、つまりハウジング２に囲まれている。なお、本実施の形態では、ディスク３Ａ，３Ｂ，３Ｃが例えば２．５インチ以下のディスクからなり、ハウジング２とディスク３Ａ，３Ｂ，３Ｃとの間に比較的スペースが大きく取れるものを想定しているが、ディスク３Ａ，３Ｂ，３Ｃの大きさは、これに限らず、もちろん３．５インチ等のように、２．５インチ以上のものであってもよい。
【００１９】
一方、図１に示すように、ハウジング２の内部にあってディスク３Ａ，３Ｂ，３Ｃの側方には、複数のアーム６を揺動自在に位置制御するボイスコイルモータ（アクチュエータ）７が備えられており、それらアーム６は、その先端部分が、ディスク３Ａ，３Ｂ，３Ｃの軸方向の間隔に侵入し得るように配置され、それらアーム６の先端６ａには、データ読書き用のヘッド５がそれぞれ固着されている。
【００２０】
なお、このアーム６及びヘッド５のセットは、例えばディスク３Ａ，３Ｂ，３Ｃの記録用の磁気層が片面のタイプであれば各ディスクに対して１個設けられ、記録用の磁気層が両面のタイプであれば各ディスクに対して表裏に２個設けられる。また、本実施の形態では、アーム６及びヘッド５をボイスコイルモータ７により駆動制御しているが、例えばステッピングモータなど、他のアクチュエータであっても構わない。
【００２１】
上記アーム６の先端６ａに固着された各ヘッド５は、ディスク３Ａ，３Ｂ，３Ｃの回転停止時では、それらディスク３Ａ，３Ｂ，３Ｃの表面に着座した状態で停止している。そして、回転軸４が回転駆動され、ディスク３Ａ，３Ｂ，３Ｃが回転状態になると、その遠心力と表面粘性により発生する気流により、各ヘッド５は、それらディスク３Ａ，３Ｂ，３Ｃの表面から所定量（例えば１０ｎｍ程度）浮上し、上記ボイスコイルモータ７によりアーム６が位置制御されることで、ヘッド５に対向する部分の磁気層に対してデータを読み書きする。
【００２２】
ところで、このようにディスク３Ａ，３Ｂ，３Ｃの回転状態で発生する気流は、例えば図７に示す矢印のように発生する。即ち、基本的には各ディスク３Ａ，３Ｂ，３Ｃの表面粘性に基づき、外周側に向く矢印Ｏｕｔのように気流が発生するが、ハウジング２の側面２ａに塞がれているため、該側面２ａで折り返されて内周側に向く矢印Ｉｎのような気流も発生する。
【００２３】
そして、例えば図７に示すように、ディスク３Ａとディスク３Ｂとの間、ディスク３Ｂとディスク３Ｃとの間で、それぞれ異なる気流が発生するような乱気流となり、その気流が不安定となって、ディスク３Ｂには上下で異なる気圧差が生じると、ディスク３Ｂは矢印ｆで示すように振動することになる。また、ディスク３Ａやディスク３Ｃも、乱気流により発生する気圧差や、他のディスク（ここでは例えばディスク３Ｂ）の振動が回転軸４を介して伝播することも相俟って、矢印ｆで示すように振動することになる。
【００２４】
このようにディスク３Ａ，３Ｂ，３Ｃが振動することや、各ヘッド５に吹き付ける気流が乱気流になることが相俟って、各ディスク３Ａ，３Ｂ，３Ｃに対する各ヘッド５の浮上量が不安定となると、ヘッド５がディスク３Ａ，３Ｂ，３Ｃの表面から離れ過ぎてデータの読み書きが不能になることや、ヘッド５とディスク３Ａ，３Ｂ，３Ｃとの接触の虞も生じるという問題がある。
【００２５】
そこで、上記乱気流の発生を低減するための整流部材１０１について図１乃至図４に沿って説明する。本第１の実施の形態に係る整流部材１０１は、ハウジング２と別体で構成されており、図１に示すように、ディスク３Ａ，３Ｂ，３Ｃの外周側において周方向の少なくとも一部を囲うように（本実施の形態では略々半周を囲うように）、ハウジング２とディスク３Ａ，３Ｂ，３Ｃとの間に配置される。これにより、整流部材１０１は、図２に示すように、ディスク３Ａ，３Ｂ，３Ｃの外縁３Ａａ，３Ｂａ，３Ｃａに対向するように、かつディスク３Ａ，３Ｂ，３Ｃの外縁３Ａａ，３Ｂａ，３Ｃａとハウジング２の側面２ａとの間に介在するように配置されることになる。
【００２６】
整流部材１０１は、図２及び図３に示すように、全体視で半円筒状に構成されており、その内周面には、各ディスク３Ａ，３Ｂ，３Ｃの外縁３Ａａ，３Ｂａ，３Ｃａに対向する位置が内周側に突出する突出部１０ａとなっており、それら突出部１０ａ同士の間で突出部１０ａよりも外周側に凹んだ凹部１０ｂが形成されている。凹部１０ｂの形状は、断面視で半円弧状となるように構成することが気流を整流する観点として好ましい。
【００２７】
各ディスク３Ａ，３Ｂ，３Ｃの外縁３Ａａ，３Ｂａ，３Ｃａと整流部材１０１の突出部１０ａとの隙間は、好ましくは０．２ｍｍ〜０．５ｍｍ程度に設定されることで、各ディスク３Ａ，３Ｂ，３Ｃと整流部材１０１との接触を防ぐことができる。従って、凹部１０ｂは、外縁３Ａａ，３Ｂａ，３Ｃａに対して例えば０．６ｍｍ以上の距離を有していることになる。
【００２８】
また、整流部材１０１は、図３に示すように、外周面から突出して配設された３つの台座部１０ｄを有しており、それぞれの台座部１０ｄには、ネジ孔１０ｅが穿設されている。このネジ孔１０ｅに不図示のネジを貫通してハウジング２の不図示のネジ穴に螺合することで、整流部材１０１は、ハウジング２に対して固定される。即ち、整流部材１０１は、不図示のネジによって着脱自在に構成されており、整流部材１０１を備えていないハードディスク装置１に後付け可能であると言える。
【００２９】
以上のように構成されたハードディスク装置１にあっては、図４に示すように、ディスク３Ａ，３Ｂ，３Ｃの回転状態にあって、各ディスク３Ａ，３Ｂ，３Ｃの表面（両面）に沿って矢印Ｏｕｔで示すように外周側への気流が生じる。ディスク３Ａとハウジング２の上面２ｂとの間では、断面視で１／４円弧状の凹部１０ｂにより気流が折り返され、該上面２ｂに沿って矢印Ｉｎで示すように中心軸ＣＴ（ディスクの中心）（図１参照）に向けて気流として整流される。また同様に、ディスク３Ｃとハウジング２の底面２ｃとの間では、断面視で１／４円弧状の凹部１０ｂにより気流が折り返され、該底面２ｃに沿って矢印Ｉｎで示すように中心軸ＣＴに向けて気流として整流される。
【００３０】
また、ディスク３Ａとディスク３Ｂとの間、及びディスク３Ｂとディスク３Ｃとの間にあっては、それらディスク３Ａ，３Ｂ，３Ｃの表面に沿って矢印Ｏｕｔで示すように外周側へ流れた気流が、断面視で１／２円弧状（半円弧状）の凹部１０ｂによって凹部１０ｂの底（最も深い部分）に集められて、凹部１０ｂの軸方向の中央付近で折り返され、矢印Ｉｎで示すように中心軸ＣＴ（図１参照）に向けて気流として整流される。
【００３１】
この際、ディスク３Ａ，３Ｂ，３Ｃの外縁３Ａａ，３Ｂａ，３Ｃａと整流部材１０１の各突出部１０ａとの間が狭められていることで、各ディスク３Ａ，３Ｂ，３Ｃによって仕切られた形で、気流が殆んど通り抜けない。従って、各ディスク３Ａ，３Ｂ，３Ｃの間で発生した気流が閉ループ的に流れるため、圧力分布としても拮抗し、乱気流が発生し難いことと相俟って、ディスク３Ａ，３Ｂ，３Ｃの振動が低減される。また、ヘッド５に吹き付ける気流の向きも、例えば図７に示すディスク３Ａとディスク３Ｂとの間及びディスク３Ｂとディスク３Ｃとの間で逆向きになるようなこともなく、安定的に同方向から気流が各ヘッド５に吹き付けるので、各ヘッド５の各ディスク３Ａ，３Ｂ，３Ｃに対する浮上量も安定的になる。
【００３２】
以上説明したように本ハードディスク装置１によると、複数のディスク３Ａ，３Ｂ，３Ｃの外縁３Ａａ，３Ｂａ，３Ｃａに沿って周方向の少なくとも一部を囲う整流部材１０１が、各ディスク３Ａ，３Ｂ，３Ｃの外縁３Ａａ，３Ｂａ，３Ｃａに対向する位置で内周側へ突出する突出部１０ａと、それら突出部１０ａ同士の間でそれら突出部１０ａよりも外周側に凹んだ凹部１０ｂとを有しているので、ディスク３Ａ，３Ｂ，３Ｃの周辺におけるディスク３Ａ，３Ｂ，３Ｃの回転による乱気流の発生を低減することができ、ディスク３Ａ，３Ｂ，３Ｃの上下振動の発生も抑えることができて、ヘッド５の浮上量の安定化を図ることができる。これにより、データの読み書きの高速化や高容量化を可能にすることができる。
【００３３】
また、整流部材１０１が、ハウジング２と別体に構成され、ハウジング２と複数のディスク３Ａ，３Ｂ，３Ｃの外縁３Ａａ，３Ｂａ，３Ｃａとの間に取付けられるので、ハウジング２を複雑な形状に加工することを不要にすることができ、ディスク３Ａ，３Ｂ，３Ｃの周辺における乱気流の発生を低減する構造を安価に提供することができる。更に、整流部材１０１をディスク３Ａ，３Ｂ，３Ｃの外周側に設置する作業が簡単となり、また、整流部材１０１の交換も簡単に行うことができる。
【００３４】
なお、本第１の実施の形態では、整流部材１０１をハウジング２と別体に設けたものを説明したが、勿論、ハウジング２のディスク３Ａ，３Ｂ，３Ｃの外縁３Ａａ，３Ｂａ，３Ｃａに対向する側面２ａを、整流部材１０１と同様な形状に形成し、つまり整流部をハウジング２と一体に鋳造や切削等で形成することも考えられる。この場合は、ハウジング２に一体的に形成されているので、整流部を別部品で挿入するスペースを設けることを不要とすることができ、特にハウジング２の内部に配設するディスクが大径なもの（例えば３．５インチディスク等）にも対応することができる。
【００３５】
＜第２の実施の形態＞
ついで、上記第１の実施の形態を一部変更した第２の実施の形態について、図５及び図６に沿って説明する。なお、本第２の実施の形態における説明では、上記第１の実施の形態と同様な部分に同符号を付し、その説明を省略する。
【００３６】
本第２の実施の形態に係るハードディスク装置１においては、整流部材（整流部）１０２の形状を一部変更したものである。詳細には、整流部材１０２は、図５及び図６に示すように、２箇所の断面視で１／２円弧状の凹部１０ｂの外周側において、周方向に沿って溝状に形成され、かつ凹部１０ｂと仕切られている通風路１０ｇを形成すると共に、凹部１０ｂの気流を通風路１０ｇに導くために、凹部１０ｂと通風路１０ｇとを貫通して連通する貫通孔１０ｆを複数箇所に穿設したものである。
【００３７】
通風路１０ｇは、整流部材１０２をハウジング２に取付けた状態で、ハウジング２の側面２ａとの間で囲まれた通路を形成し、図６に示すように、凹部１０ｂから貫通孔１０ｆを通って入った気流を、ディスク３Ａ，３Ｂ，３Ｃの外周側を迂回する形でボイスコイルモータ７の方向に導く（図１参照）ものである。なお、本第２の実施の形態の整流部材１０２は、例えば米国特許公報２０１０／０１３４９２０号公報に開示されているような、ディスク３Ａ，３Ｂ，３Ｃの回転で生じた気流をハウジング２の内面に沿って周回させる通路を備えたハードディスク装置に適用すると、さらに気流を安定させる効果が高いものである。
【００３８】
以上のように構成された第２の実施の形態に係るハードディスク装置１では、図６に示すように、ディスク３Ａとディスク３Ｂとの間、及びディスク３Ｂとディスク３Ｃとの間に発生した気流が矢印Ｏｕｔで示すように整流部材１０２の凹部１０ｂに向けて全て同方向に流れるようになり、貫通孔１０ｆ及び通風路１０ｇを通って、ディスク３Ａ，３Ｂ，３Ｃの中心軸ＣＴ（図１参照）を対称として反対側から流れ込むような気流が形成される。なお、貫通孔１０ｆ及び通風路１０ｇの大きさを適宜に設定することで、通風路１０ｇ側が負圧になって、ボイスコイルモータ７の方向からディスク３Ａ，３Ｂ，３Ｃの方向に気流が安定するようにすることが好ましい。また、貫通孔１０ｆの穿設方向は、本第２の実施の形態では、中心軸ＣＴを中心に放射方向に向けているが、ディスク３Ａ，３Ｂ，３Ｃの回転方向に応じて、螺旋方向に穿設するようにしてもよい。
【００３９】
このように、第２の実施の形態に係るハードディスク装置１によると、整流部材１０２が、凹部１０ｂと仕切られると共に該凹部１０ｂの外周側にて周方向に貫通形成された通風路１０ｇと、凹部１０ｂから通風路１０ｇに気流を導く貫通孔１０ｆとを備えているので、ディスク３Ａ，３Ｂ，３Ｃの回転により発生した気流を貫通孔１０ｆを介して通風路１０ｇに逃がすことができ、整流部材１０２でディスク３Ａとディスク３Ｂとの間や、ディスク３Ｂとディスク３Ｃとの間の間隔に気流を折り返す場合に比して、さらに乱気流の発生の低減を図ることができる。
【００４０】
なお、これ以外の構成、作用、効果は、第１の実施の形態と同様であるので、その説明を省略する。
【００４１】
なお、以上説明した第１及び第２の実施の形態においては、ディスクが３枚のものを一例として説明したが、ディスクの枚数はこれに限るものではなく、２枚或いは４枚以上のものであっても、本発明を適用し得る。
【００４２】
また、整流部における凸部や凹部の形状は、第１及び第２の実施の形態で説明した形状に限るものではなく、気流を効果的に整流できる形状であれば、どのような形状でも良い。例えば凹部１０ｂに対してフィン状のものを設けるなどしてもよい。
【００４３】
さらに、第２の実施の形態においては、凹部１０ｂから貫通孔１０ｆを介して通風路１０ｇに気流を流すものを説明したが、例えば貫通孔１０ｆに逆止弁などの気流の逆流を防止する構造を設けたり、通風路１０ｇが負圧になるように、例えばディスクの回転に連動するファンを設けたりするなど、各種の変更を施すことも本発明の適用範囲内である。
【符号の説明】
【００４４】
１    ハードディスク装置
２    ハウジング
３Ａ，３Ｂ，３Ｃ    ディスク
３Ａａ，３Ｂａ，３Ｃａ    外縁
５    ヘッド
６    アーム
６ａ    先端
７    アクチュエータ（ボイスコイルモータ）
１０１，１０２    整流部（整流部材）
１０ａ    突出部
１０ｂ    凹部
１０ｆ    貫通孔
１０ｇ    通風路
ＣＴ    中心軸
Ｄ    所定間隔
【図１】
2014010844.tif 000003
【図２】
2014010844.tif 000004
【図３】
2014010844.tif 000005
【図４】
2014010844.tif 000006
【図５】
2014010844.tif 000007
【図６】
2014010844.tif 000008
【図７】
2014010844.tif 000009